(57)【特許請求の範囲】
【請求項１】
乗員を弾性的に支持するシートパッドと、前記シートパッドを被覆するシートカバーと、通電により発熱する面状のシートヒータとを備え、
前記シートカバーの着座面が、乗員の着座時を基準として乗員から押圧される被押圧部を有し、前記被押圧部が、前記シートパッドと前記シートカバーの間に介装された前記シートヒータにて加温可能である乗物用シートにおいて、
前記被押圧部が、乗員の仙骨に対面可能に配置された第一エリアと、前記第一エリアの周りに配置してそれに隣接する第二エリアと、前記第一エリアと前記第二エリア以外の部分に配置する第三エリアに区分けされ、
前記シートヒータによって、前記第一エリアと前記第二エリアと前記第三エリアの各温度をこれら各エリアの間に温度差を設けつつ調節可能とするとともに、前記第一エリアの温度が最も高く設定され、前記第二エリアの温度が最も低く設定される乗物用シート。
【発明の詳細な説明】
【技術分野】
【０００１】
本発明は、シートパッドと、シートカバーと、これらの間に介装されてシートカバーの着座面を加温可能な面状のシートヒータとを備えた乗物用シートに関する。
【背景技術】
【０００２】
この種の乗物用シートとして、シートクッションと、シートバックと、面状のシートヒータを備えた乗物用シートが公知である（特許文献１を参照）。シートクッションとシートバックは、各々、乗員を弾性的に支持するシートパッドと、シートパッドを被覆するシートカバーを有する。各シートパッドの中央にはそれぞれ凸部が形成されており、この凸部が乗員の後正中線に対面する箇所に配置する。またシートヒータは、通電により発熱する可撓性を備えた面状発熱体であり、ヒータ線を帯状の基布に蛇行配設して形成される。そして公知技術では、シートヒータを、シートパッドとシートカバーの間に介装しつつ、凸部の形成位置である乗員の後正中線に沿って配置する。こうしてシートヒータにより、乗員の後正中線のみを加温することで、加熱エネルギーを少なくして省エネ効果に優れる構成となる。
【先行技術文献】
【特許文献】
【０００３】
【特許文献１】特開２００９−２４７６３４号公報
【発明の概要】
【発明が解決しようとする課題】
【０００４】
ところで乗物用シートの分野では、乗員の身体に熱を感じやすい部分とそうでない部分があることなどを考慮して、乗員を局所的に加温するなどのきめ細かな制御が求められる。しかし公知技術では、シートヒータが、凸部の形成位置に沿って配置されており、乗員の後正中線を広範囲且つ一律に加温する構成である。このため公知技術の構成では、例えば乗員の後正中線を部分的にまたは局所的に加温するにはやや不向きの構成であった。また公知技術では、シートヒータの配置箇所と非配置箇所の間に極端な温度差が生じるなどして、やや快適性に劣る構成になりがちであった。本発明は上述の点に鑑みて創案されたものであり、本発明が解決しようとする課題は、シートヒータにより、シートの着座面をきめ細かく快適に加温することにある。
【課題を解決するための手段】
【０００５】
上記課題を解決するための手段として、第１発明の乗物用シートは、乗員を弾性的に支持するシートパッドと、シートパッドを被覆するシートカバーと、通電により発熱する面状のシートヒータとを備える。そしてシートカバーの着座面が、乗員の着座時を基準として乗員から押圧される被押圧部を有し、被押圧部が、シートパッドとシートカバーの間に介装されたシートヒータにて加温可能である。この種の構成では、シートヒータにより、シートの着座面である被押圧部をきめ細かく快適に加温できることが望ましい。
【０００６】
そこで本発明では、被押圧部が、乗員の仙骨に対面可能に配置された第一エリアと、第一エリアの周りに配置してそれに隣接する第二エリアと、第一エリアと第二エリア以外の部分に配置する第三エリアに区分けされており、被押圧部をきめ細かく加温可能な構成である。そしてシートヒータによって、第一エリアと第二エリアと第三エリアの各温度をこれら各エリアの間に温度差を設けつつ調節可能とするとともに、第一エリアの温度が最も高く設定され、第二エリアの温度が最も低く設定される。本発明では、シートヒータにより全エリアを加温することで、被押圧部が全体的に加温されて同部内に過度の温度差が生じることを好適に回避することができる。その上で第一エリアと第二エリアの温度差を大きくすることにより、乗員に対して第一エリアの体感温度を高く感じさせることが可能となる。
【発明の効果】
【０００７】
本発明に係る第１発明によれば、シートヒータにより、シートの着座面をきめ細かく快適に加温させることができる。
【図面の簡単な説明】
【０００８】
【図１】乗物用シートの斜視図である。
【図２】被押圧部とそのエリアを示す乗物用シートの斜視図である。
【図３】第一シートヒータの概略正面図である。
【図４】第二シートヒータの概略正面図である。
【図５】乗員の骨格の一部を示す模式図である。
【図６】乗物用シートの一部を示す概略図である。
【発明を実施するための形態】
【０００９】
以下、本発明を実施するための形態を、図１〜図６を参照して説明する。各図には、適宜、乗物用シート前方に符号Ｆ、乗物用シート後方に符号Ｂ、乗物用シート上方に符号ＵＰ、乗物用シート下方に符号ＤＷ、乗物用シート右方に符号Ｒ、乗物用シート左方に符号Ｌを付す。図１の乗物用シート２は、シートクッション４と、シートバック６と、ヘッドレスト８を有する。これらシート構成部材は、各々、シート骨格をなすシートフレーム（４Ｆ，６Ｆ，８Ｆ）と、シート外形をなすシートパッド（４Ｐ，６Ｐ，８Ｐ）と、シートパッドを被覆するシートカバー（４Ｓ，６Ｓ，８Ｓ）を有する。本実施例では、シートクッション４の後部にシートバック６の下部が起倒可能に連結するとともに、起立状態のシートバック６の上部にヘッドレスト８が配設される。
【００１０】
そしてシートクッション４は、図１及び図２を参照して、上述の基本構成４Ｆ，４Ｐ，４Ｓと、第一シートヒータＳＨ１と、複数の被押圧部１１，１２ｒ，１２ｌを有する（各部材等の詳細は後述）。またシートバック６も、上述の基本構成６Ｆ，６Ｐ，６Ｓと、第二シートヒータＳＨ２と、複数の被押圧部１３，１４ｒ，１４ｌを有する（各部材等の詳細は後述）。ここで各被押圧部（詳細後述）は、着座時の乗員から押圧を受ける各シートカバー４Ｓ，６Ｓの着座面部分である。そして後述するように被押圧部の一部（１１，１３）を各シートヒータＳＨ１，ＳＨ２にて加温するのであるが、この種のシート構成では、各シートヒータＳＨ１，ＳＨ２により、シートの着座面である各被押圧部の一部（１１，１３）をきめ細かく快適に加温できることが望ましい。そこで本実施例では、後述の構成にて、各被押圧部の一部（１１，１３）をきめ細かく快適に加温させることとした。以下、各構成について詳述する。
【００１１】
［シートクッション］
シートクッション４は、図１及び図２を参照して、シートカバー４Ｓを、シートフレーム４Ｆ上のシートパッド４Ｐに被覆することで形成される（各図では、シートカバーのみが表面に現れて図示される）。ここでシートフレーム４Ｆ（図示省略）は、シートクッション４の外形形状に倣った形状の枠体であり、剛性に優れる素材（金属や硬質樹脂など）にて形成できる。またシートカバー４Ｓは、後述するシートパッド４Ｐの着座側を被覆して着座面を形成する面材であり、複数の被押圧部１１，１２ｒ，１２ｌ（詳細後述）が形成される。なおシートカバー４Ｓの材質は特に限定しないが、布帛（織物，編物，不織布）や皮革（天然皮革，合成皮革）を例示できる。
【００１２】
そしてシートパッド４Ｐ（図示省略）は、シート外形をなして乗員を弾性的に支持する部材であり、ポリウレタンフォーム（密度：１０ｋｇ／ｍ3〜４０ｋｇ／ｍ3）等の発泡樹脂で形成できる。本実施例のシートパッド４Ｐは、上面視で略矩形状をなしており、図１を参照して、天板メイン部４ａと、天板サイド部４ｂを有する。天板メイン部４ａは、シート幅方向におけるシートパッド４Ｐ中央の部位であり乗員の着座が可能である。また天板サイド部４ｂは、天板メイン部４ａの側方に配置する凸部位であり、例えばコーナリング走行時に乗員の側部を支持できる。
【００１３】
［被押圧部］
シートクッション４の被押圧部は、図２を参照して、着座状態の乗員から押圧される着座面の部位であり、本発明の被押圧部に相当する第一被押圧部１１と、第二被押圧部１２ｒ，１２ｌを有する。第一被押圧部１１は、通常走行時に臀部や脚部等の乗員身体部から押圧される部位であり、天板メイン部４ａの着座面に形成される。この第一被押圧部１１は、専ら臀部から押圧される後部が上面視で略矩形とされ、専ら脚部から押圧される前部が二股に分かれながらシート前方に延びる。また第二被押圧部１２ｒ，１２ｌは、コーナリング走行時などに乗員から押圧される部位であり、各天板サイド部４ｂの内面に形成され且つシート前後方向に長尺な略矩形状とされる。
【００１４】
［第一エリア・第二エリア・第三エリア］
そして第一被押圧部１１は、図２を参照して、乗員身体部の中で熱を感じやすい部分（本実施例では図５で示す乗員ＣＭの仙骨５０）があることを考慮して、第一エリアＣＡ１と第二エリアＣＡ２と第三エリアＣＡ３に区分けできる。ここで図５を参照して、乗員ＣＭの仙骨５０は、脊椎の下部に配置する三角形状の骨であり、乗員が体感的に熱を感じやすい部分である。そこで本実施例の第一エリアＣＡ１は、図２及び図６を参照して、第一被押圧部１１の後部中央に形成された上面視で略円形の部位であり、仙骨５０の下方でそれに対面可能に配置する。また第二エリアＣＡ２は、図２を参照して、第一エリアＣＡ１の周りに配置してそれに隣接する部位であり、本実施例では、第一エリアＣＡ１を除く第一被押圧部１１の後部略全面に形成される。そして第三エリアＣＡ３は、第一エリアＣＡ１と第二エリアＣＡ２以外の部分に配置する部位であり、本実施例では、第一被押圧部１１の前部略全面に形成される。
【００１５】
［第一シートヒータ］
第一シートヒータＳＨ１は、図１及び図３を参照して、通電により発熱可能であり、典型的にシート状又はマット状の面材である。本実施例の第一シートヒータＳＨ１は、天板メイン部４ａと略同形同寸の面材であり、ヒータ線３０と、本体をなす基材３１と、サーモスタット３２と、複数のリード線３４ａ〜３４ｄと、一対のコネクタ３６ａ，３６ｂを備える。ここで基材３１の材質は特に限定しないが、布帛や皮革や軟質樹脂などの可撓性を備える材質で形成されることが好ましい。そして第一シートヒータＳＨ１の基材３１の一面に、単線からなるヒータ線３０と、サーモスタット３２が取付けられる（これら各部材の詳細は後述）。またヒータ線３０の両端は、一対のリード線３４ａ，３４ｂを介して第一シートヒータＳＨ１外のコネクタ３６ａに電気的につなげられる。これら一対のリード線３４ａ，３４ｂは、途中で他の一対のリード線３４ｃ，３４ｄを介して、他のコネクタ３６ｂに電気的につながる。そしてコネクタ３６ａ又は他のコネクタ３６ｂを電源（図示省略）に電気的につなげてヒータ線３０に通電することにより、第一シートヒータＳＨ１を発熱させることができる。なお図示しないＥＣＵ等の制御部を介して、ヒータ線３０に対する電源の電力供給量を制御することにより、ヒータ線３０の発熱量や温度をコントロールすることもできる。
【００１６】
ここでサーモスタット３２は、ヒータ線３０の通電状態を制御する部材である。この種のサーモスタット３２として、バイメタル式、電子式、油圧式及びロッド・チューブ式のサーモスタット３２を例示でき、なかでも低コスト且つ構造の簡易なバイメタル式のサーモスタット３２が好ましい。このバイメタル式のサーモスタット３２を、第一シートヒータＳＨ１上のヒータ線３０の一部に密着させて取付けることで、ヒータ線３０に対する通電と非通電の切り替えが可能となる。
【００１７】
またヒータ線３０は、通電により発熱可能な線材であり、この種の線材として、銅やアルミニウムなどの金属の糸材、ニクロム線などの合金の糸材、メッキ線材、炭素繊維のフィラメントを例示できる。メッキ線材は、非導電性又は導電性の芯材となる線材と、金属又は合金のメッキ層を有する。また炭素繊維とは、ポリアクリロニトリル系炭素繊維（ＰＡＮ系炭素繊維）やピッチ系炭素繊維である。なお第一シートヒータＳＨ１に対するヒータ線３０の取付け方法は特に限定しないが、縫付けや接着や融着、織込みや編込み等の手法を適宜選択できる。すなわちヒータ線３０を、縫付けや接着や融着にて第一シートヒータＳＨ１の基材３１に取付けることができ、織込みや編込みにて基材３１の構成糸の一部として使用することもできる。
【００１８】
そしてヒータ線３０は、図３を参照して、上面視で略Ｕ字状をなして第一シートヒータＳＨ１の基材３１上に配置しており、ヒータ線３０の両端が、第一シートヒータＳＨ１の後端中央で各リード線３４ａ，３４ｂにつながる。そして第一シートヒータＳＨ１には、その上でヒータ線３０が適宜のピッチで蛇行することで、第一加熱部３１ａと、第二加熱部３１ｂと、第三加熱部３１ｃが形成される。第一加熱部３１ａは、ヒータ線３０が小刻みに蛇行してその線間ピッチが最も狭い部位であり、第一シートヒータ配設時を基準として第一エリアＣＡ１に対面配置してそれを加温する。この第一加熱部３１ａは、第一シートヒータＳＨ１内で単位面積当たりのヒータ線線長が最も長く（ヒータ線量が最も多く）されることで最も高温で発熱可能である。また第二エリアＣＡ２は、ヒータ線３０が大きく蛇行して線間ピッチが最も広い部位であり、第一シートヒータ配設時を基準として第二エリアＣＡ２に対面配置してそれを加温する。この第二加熱部３１ｂは、単位面積当たりのヒータ線線長が最も短く（ヒータ線量が最も少なく）されることで最も低温で発熱可能である。そして第三加熱部３１ｃは、第一シートヒータ配設時を基準として各第三エリアＣＡ３に対面配置してそれを加温する部位である。この第三加熱部３１ｃは、第二加熱部３１ｂに比してヒータ線３０の線間ピッチが狭く、単位面積当たりのヒータ線線長が第二加熱部３１ｂに比して長くされる。
【００１９】
［シートバック］
シートバック６の基本的な構成は、図１を参照して、シートクッション４の基本的な構成と略同一である。そこでシートバック６の構成中、シートクッション４の構成と略同一の構成についてはシートクッション４の構成と対応する符号を付すことで詳細な説明を省略する。そしてシートバック６（シートパッド６Ｐ）の天板メイン部６ａと天板サイド部６ｂに、図２を参照して、後述する複数の被押圧部１３，１４ｒ，１４ｌが形成される。
【００２０】
［被押圧部］
シートバック６の被押圧部は、図２を参照して、着座状態の乗員から押圧される着座面の部位であり、本発明の被押圧部に相当する第三被押圧部１３と、第四被押圧部１４ｒ，１４ｌを有する。第三被押圧部１３は、通常走行時に腰部や肩部等の乗員身体部から押圧される部位であり、天板メイン部６ａの着座面に形成される。この第三被押圧部１３は、正面視で略矩形の部位であり、天板メイン部６ａの下部から上部にいたる部分に形成される。また第四被押圧部１４ｒ，１４ｌは、コーナリング走行時などに乗員から押圧される部位である。これら第四被押圧部１４ｒ，１４ｌは、各々、シートバック起立時を基準として、各天板サイド部６ｂの内面に形成され且つシート上下方向に長尺な略矩形状とされる。
【００２１】
［第一エリア・第二エリア・第三エリア］
そして第三被押圧部１３は、図２を参照して、乗員身体部の中で熱を感じやすい部分（本実施例では図５で示す乗員ＣＭの仙骨５０）があることを考慮して、第一エリアＢＡ１と第二エリアＢＡ２と第三エリアＢＡ３に区分けできる。そして本実施例の第一エリアＢＡ１は、図２及び図６を参照して、第三被押圧部１３の下部中央に形成された正面視で略円形の部位であり、仙骨５０の後方でそれに対面可能に配置する。また第二エリアＢＡ２は、図２を参照して、第一エリアＢＡ１の周りに配置してそれに隣接する部位であり、本実施例では、第一エリアＢＡ１を除く第三被押圧部１３の下部から上部に至る途中までの部分（後述の第三エリアＢＡ３の直下）に形成される。そして第三エリアＢＡ３は、第一エリアＢＡ１と第二エリアＢＡ２以外の部分に配置する部位であり、本実施例では、第三被押圧部１３の上部両側にそれぞれ形成される。
【００２２】
［第二シートヒータ］
第二シートヒータＳＨ２は、図１及び図４を参照して、通電により発熱可能な面材である。本実施例の第二シートヒータＳＨ２は、天板メイン部６ａと略同形同寸の面材であり、第一シートヒータＳＨ１と略同一構成（ヒータ線４０，基材４１，サーモスタット４２，一対のリード線４４ａ，４４ｂ，コネクタ４６）を備える。そして第二シートヒータＳＨ２の基材４１の一面に、単線からなるヒータ線４０と、サーモスタット４２が設けられる（ヒータ線４０の配設状態の詳細は後述）。またヒータ線４０の両端は、一対のリード線４４ａ，４４ｂを介して第二シートヒータＳＨ２外のコネクタ４６に電気的につながる。そしてコネクタ４６を電源（図示省略）に電気的につなげてヒータ線４０に通電することにより、第二シートヒータＳＨ２を発熱させることができる。
【００２３】
そしてヒータ線４０は、図４を参照して、上面視で略Ｕ字状をなして第二シートヒータＳＨ２の基材４１上に配置しており、ヒータ線４０の両端が、第二シートヒータＳＨ２の下端中央で各リード線４４ａ，４４ｂにつながる。そして第二シートヒータＳＨ２には、その上でヒータ線４０が適宜のピッチで蛇行することで、第四加熱部４１ａと、第五加熱部４１ｂと、第六加熱部４１ｃが形成される。第四加熱部４１ａは、ヒータ線４０が小刻みに蛇行してその線間ピッチが最も狭い部位であり、第二シートヒータ配設時を基準として第一エリアＢＡ１に対面配置してそれを加温する。この第四加熱部４１ａは、第二シートヒータＳＨ２内で単位面積当たりのヒータ線線長が最も長くされることで最も高温で発熱可能である。また第二エリアＢＡ２は、ヒータ線４０が大きく蛇行して線間ピッチが最も広い部位であり、第二シートヒータ配設時を基準として第二エリアＢＡ２に対面配置してそれを加温する。この第五加熱部４１ｂは、単位面積当たりのヒータ線線長が最も短くされることで最も低温で発熱可能である。そして第六加熱部４１ｃは、第二シートヒータ配設時を基準として各第三エリアＢＡ３に対面配置してそれを加温する部位である。この第六加熱部４１ｃは、第五加熱部４１ｂに比してヒータ線４０の線間ピッチが狭く、単位面積当たりのヒータ線線長が第五加熱部４１ｂに比して長くされる。
【００２４】
［シートヒータの配設作業］
図１〜図４を参照して、第一シートヒータＳＨ１を天板メイン部４ａに配置しつつシートパッド４Ｐとシートカバー４Ｓの間に介装する。このとき第一シートヒータＳＨ１の第一加熱部３１ａを第一エリアＣＡ１に対面配置し、第二加熱部３１ｂを、第二エリアＣＡ２に対面配置し、第三加熱部３１ｃを、第三エリアＣＡ３に対面配置する。そして本実施例では、第一エリアＣＡ１が、仙骨５０の下方でそれに対面可能に配置する。また同様に第二シートヒータＳＨ２を天板メイン部６ａに配置しつつシートパッド６Ｐとシートカバー６Ｓの間に介装する。このとき第二シートヒータＳＨ２の第四加熱部４１ａを第一エリアＢＡ１に対面配置し、第五加熱部４１ｂを、第二エリアＢＡ２に対面配置し、第六加熱部４１ｃを、第三エリアＢＡ３に対面配置する。そして本実施例では、第一エリアＢＡ１が、仙骨５０の後方でそれに対面可能に配置する。こうして各シートヒータＳＨ１，ＳＨ２を所定の位置に配置しつつ、これらのヒータ線３０，４０を図示しない電源に電気的につなげて通電により発熱可能とする。
【００２５】
［各シートヒータによる被押圧部の加温］
図１及び図２を参照して、第一シートヒータＳＨ１と第二シートヒータＳＨ２にて、対応する被押圧部１１，１３をそれぞれ加温するのであるが、この種の構成では、各被押圧部１１，１３をきめ細かく快適に加温できることが望まれる。そこで本実施例では、図２を参照して、第一被押圧部１１を、第一エリアＣＡ１と第二エリアＣＡ２と第三エリアＣＡ３に区分けして、第一被押圧部１１をきめ細かく加温可能な構成とする。そして図２及び図３を参照して、第一シートヒータＳＨ１に複数の加熱部３１ａ〜３１ｃを設けて、各エリアＣＡ１〜ＣＡ３の各温度を、これら各エリアの間に温度差を設けつつ調節可能な構成とする。また同様に第三被押圧部１３を、第一エリアＢＡ１と第二エリアＢＡ２と第三エリアＢＡ３に区分けする。そして第二シートヒータＳＨ２に複数の加熱部４１ａ〜４１ｃを設けて、各エリアＢＡ１〜ＢＡ３の各温度を、これら各エリアの間に温度差を設けつつ調節可能な構成とする。
【００２６】
その上で第一エリアＣＡ１，ＢＡ１の温度が最も高く設定可能とされ、第二エリアＣＡ２，ＢＡ２の温度が最も低く設定可能とされる。こうすることで図６を参照して、最も温度の高い第一エリアＣＡ１，ＢＡ１にて、体感的に熱を感じやすい仙骨５０を加温することができる。さらに最も温度の低い第二エリアＣＡ２，ＢＡ２を第一エリアＣＡ１，ＢＡ１の周りに配置したことで、乗員に対して第一エリアＣＡ１，ＢＡ１の体感温度をより高く感じさせることが可能となる。
【００２７】
そして第一シートヒータＳＨ１により全エリアＣＡ１〜ＣＡ３を加温することで、第一被押圧部１１が全体的に加温されて同部内に過度の温度差が生じることを好適に回避できる。また同様に第二シートヒータＳＨ２により全エリアＢＡ１〜ＢＡ３を加温することで、第三被押圧部１３が全体的に加温されて同部内に過度の温度差が生じることを好適に回避できる。なお各エリアの温度設定（各エリアの温度及び温度差）は乗員自身が調節可能であり、着座する乗員に応じて快適な温度を適宜設定できる。例えば全エリアの温度が比較的高い高温モードと、全エリアの温度が比較的低い低温モードを設けて、これら各モードを適宜切替することができる。また各エリアの温度を連続的に上げ下げすることにより、乗員をリラックスさせることもできる。
【００２８】
以上説明したとおり本実施例では、各被押圧部１１，１３を、第一エリアＣＡ１，ＢＡ１と第二エリアＣＡ２，ＢＡ２と第三エリアＣＡ３，ＢＡ３に区分けしたことで、同被押圧部をきめ細かく加温可能な構成とする。そして各シートヒータＳＨ１，ＳＨ２により、第一被押圧部１１及び第三被押圧部１３が全体的に加温されてこれら各部内に過度の温度差が生じることを好適に回避できる。その上で第一エリアＣＡ１，ＢＡ１と第二エリアＣＡ２，ＢＡ２の温度差を大きくすることにより、乗員に対して第一エリアＣＡ１，ＢＡ１の体感温度をより高く感じさせることが可能となる。そして本実施例では、単線のヒータ線３０，４０を用いるとともにその単位面積当たりの線長を変えて温度差を生じさせるシンプルな構成である。
【００２９】
特に本実施例では、第一エリアＣＡ１，ＢＡ１を最も高温にして仙骨５０を好適に加温する。こうすることで仙骨５０の周辺の神経が刺激されたり、血液が温められたりするなどして、乗員の感応的（体感的）な暖かさを確保しつつ、乗員身体部をその内側から温めることができる。そして乗員身体部をその内側から温めることにより、血液による熱移動で冷え性対策やリラックス効果も期待できる。また仙骨５０とその周囲の筋肉を温めることで、乗員のコリやむくみなどを好適に抑えることができる。さらに本実施例では、シートの発熱エリアを検討する上で、乗員の着座姿勢や圧力分布を考慮して各被押圧部１１，１３を発熱エリアとしたことで、乗員に対する効率の良い熱伝達が可能となり、消費電力やコストを極力抑えることができる。なお従来と同性能を狙う場合、本実施例の構成では全体効率が高くなっているため、低コストや省電力化に資する構成となる。このため本実施例によれば、各シートヒータＳＨ１，ＳＨ２により、シートの着座面である被押圧部１１，１３をきめ細かく快適に加温することができる。
【００３０】
本実施形態の乗物用シートは、上述した実施形態に限定されるものではなく、その他各種の実施形態を取り得る。本実施形態では、第一エリアＣＡ１，ＢＡ１を仙骨５０の対面位置に形成する例を説明したが、これら各エリアの構成（形状，寸法，形成位置，形成数等）は適宜変更可能である。すなわち第一エリアは、被押圧部（天板メイン部，天板サイド部）内の適宜の位置に複数又は単数形成することができ、乗員身体部中の熱を感じやすい部分に形成することが望ましい。例えば第一エリアを、乗員の後正中線の一部に設定することができ、また乗員の肩部や腰部や脚部や臀部に対面する位置（乗員から強く押圧されるシート位置）に設けることもできる。なおシートクッションの第一エリアが対面配置する乗員身体部と、シートバックの第一エリアが対面配置する乗員身体部は、本実施例のように同一でもよく、異ならせることもできる。また第二エリアと第三エリアの構成も、第一エリアの構成に応じて適宜変更可能である。また被押圧部に、第一エリア〜第三エリアとは異なる他のエリアを設定することもできる。
【００３１】
また本実施形態では、各シートヒータＳＨ１，ＳＨ２の構成（構成部材，形状，寸法，配設位置，配設数等）を例示したが、同部材の構成を限定する趣旨ではない。例えば複数のヒータ線を用いて、各シートヒータに、第一加熱部〜第三加熱部を形成することもできる。またヒータ線は、直列回路又は並列回路を構成するように、各シートヒータに取付けることができる。そして第一加熱部〜第三加熱部の構成（形状，寸法，形成位置，形成数等）も、第一エリア〜第三エリアの構成に応じて適宜変更可能である。
【００３２】
また本実施形態では、シートクッション４とシートバック６を一例に説明したが、本実施例の構成は、ヘッドレストやアームレストやフットレストなどの各種シート構成部材に適用可能である。またシートヒータは、シート構成部材の少なくとも一つの部材に設けることができ、少なくとも乗員の衣類の影響を受けにくいシートクッションに設けることが望ましい。例えばシートヒータを高温モードと低温モードで切替して用いる場合、低温モードでは、乗員の衣類の影響を受けにくいシートクッションに最も効果が現れることとなる。そして本実施形態の構成は、車両や航空機や電車などの乗物用シート全般に適用できる。
【符号の説明】
【００３３】
２     乗物用シート
４     シートクッション
６     シートバック
８     ヘッドレスト
４Ｓ，６Ｓ  シートカバー
４Ｐ，６Ｐ  シートパッド
１１   第一被押圧部（本発明の被押圧部）
１２ｒ，１２ｌ  第二被押圧部
１３   第三被押圧部（本発明の被押圧部）
１４ｒ，１４ｌ  第四被押圧部
ＣＡ１，ＢＡ１  第一エリア
ＣＡ２，ＢＡ２  第二エリア
ＣＡ３，ＢＡ３  第三エリア
ＳＨ１ 第一シートヒータ
ＳＨ２ 第二シートヒータ
３１ａ〜３１ｃ  第一シートヒータの加熱部
４１ａ〜４１ｃ  第二シートヒータの加熱部
ＣＭ   乗員
【図１】
0006284877.tif 000002
【図２】
0006284877.tif 000003
【図３】
0006284877.tif 000004
【図４】
0006284877.tif 000005
【図５】
0006284877.tif 000006
【図６】
0006284877.tif 000007